(57)【特許請求の範囲】
【請求項１】
カメラや携帯電話などの携帯品を収納するケース本体と、
このケース本体の底部に設けられた、該ケース本体内に前記携帯品を出入するための出入口と、
前記携帯品に取付けられる通しロープと、
前記ケース本体の上方に設けられたストッパー本体、このストッパー本体に貫通された前記通しロープを前記ケース本体の内側から外側に通すためのロープ通し穴、このロープ通し穴に通された前記通しロープをロックするとともに押す指の操作により該ロック状態を解除して該通しロープを移動自在にでき且つ前記指の操作をやめ離すと前記ロック状態とすることができるロープ制御部とからなるロープストッパーとからなり、
前記携帯品が前記ケース本体に収納された状態で、前記ロープ制御部を押すと前記通しロープのロックが解除されて該携帯品が前記出入口から該携帯品の自重により下方に落ち該ケース本体外に出るようされたことを特徴とする携帯品の保護具。
【請求項２】
ケース本体の縦に切り込み形態で下部が開放されたロープ避け部を設けてなることを特徴とする請求項１記載の携帯品の保護具。
【請求項３】
首提げ紐や首提げバンドなどの首提げ手段が取り付けられ該首提げ手段で首から吊り提げたカメラやカメラ付き携帯電話などの携帯品を収納するケース本体と、
このケース本体の上方に設けられた、前記首提げ手段を通し且つ該ケース本体が該首提げ手段に移動自在に案内されるようにするための首提げ手段通し部と、
前記ケース本体の上方に設けられたあるいは設けるために添付された、該ケース本体を引張り付勢力により引き上げるためのゴム紐、引張バネ、付勢巻取り装置などの引張り付勢手段と、
前記ケース本体の下方あるいは横に設けられた、該ケース本体に携帯品を出し入れするための出入口と、
前記ケース本体に収納された、携帯品が前記出入口から出ないように阻止し且つ該阻止状態を解除することにより携帯品の該ケース本体への出し入れが行えるようにしてなる外れ阻止部とからなり、
前記首提げ手段を前記首提げ手段通し部に通し、前記首提げ手段に一方側を固定するとか、着衣に一方側を固定するなどして前記収納ケース本体が引張り付勢手段が収縮状態で収納する携帯品の全部が該ケース本体外に出るようにし、携帯品を前記ケース本体内に全部収納した状態においては前記引張り付勢手段が引っ張られて引張り付勢力が付けられた引張り付勢収納状態となり、この引張り付勢収納状態において前記外れ阻止部により携帯品から前記ケース本体が外れないように阻止され、前記外れ阻止部の阻止状態を解除するとか該阻止状態の解除と前記ケース本体のずらしにより該ケース本体が前記引張り付勢手段の引張り付勢力により上方に引っ張られて自動的に該ケース本体から外れるようにしてなることを特徴とする携帯品の保護具。
【請求項４】
首提げ紐や首提げバンドなどの首提げ手段と、
カメラやカメラ付き携帯電話などの携帯品に取付けられる通しロープと、
前記首提げ手段の下方に設けられた、ストッパー本体、このストッパー本体に貫通された前記携帯品に取り付けられた前記通しロープを通すためのロープ通し穴、このロープ通し穴に通された前記通しロープをロックするとともに押す指の操作により該ロック状態を解除して該通しロープを移動自在にでき且つ前記指の操作をやめ離すと前記ロック状態とすることができるロープ制御部とからなるロープストッパーとからなり、
前記ロープ制御部を押すと前記通しロープのロックが解除されて前記携帯品が前記出入口から該携帯品の自重により下方に落ちるようされてなることを特徴とする携帯品の保護具。
【請求項５】
首提げ手段が首に掛ける形が崩れない部材で形成されてなることを特徴とする請求項４記載の携帯品の保護具。
【請求項６】
ストッパー本体と、
このストッパー本体に貫通された通しロープを通すためのロープ通し穴と、
前記ロープ通し穴に通された前記通しロープをロックするとともに押すの指の操作により該ロック状態を解除して該通しロープを移動自在にでき且つ前記指の操作をやめ離すと前記ロック状態とすることができるロープ制御部と、
前記ストッパー本体の上部面より上側あるいは左右に設けられた主にロープやバンドなどの提げ手段を取り付けるための提げ手段取付部とからなることを特徴とするロープストッパー。
【請求項７】
ストッパー本体と、
このストッパー本体に貫通された通しロープを通すためのロープ通し穴と、
このロープ通し穴に通された前記通しロープをロックするとともに押す指の操作により該ロック状態を解除して該通しロープを移動自在にでき且つ前記指の操作をやめ離すと前記ロック状態とすることができるロープ制御部と、
前記ストッパー本体をケースやシート材などに取り付けるための該ストッパー本体の底部あるいは左右側部に設けられたケース等取付部と、
前記ストッパー本体側に設けられた主にロープやバンドなどの提げ手段を取り付けるための提げ手段取付部とからなることを特徴とするロープストッパー。
【発明の詳細な説明】
【技術分野】
【０００１】
本発明はカメラやカメラ付き携帯電話などを保護する携帯品の保護具およびこの携帯品の保護具に最適なロープストパーに関する。
【背景技術】
【０００２】
従来、携帯カメラの保護ケースとして、保護ケース本体の上部にカメラの出入口を設け、このカメラの出入口を背部から前部に向けた被い前部でボタンなどで係止する蓋カバーを設け、この蓋カバーの背部方にカメラを首に吊るすための首提げ手段を通すための首提げ手段通し部を設けてなる収納保護ケースがあった。
【０００３】
また、本体側紐通し孔を有するクリップ本体と、このクリップ本体にスプリングで押し出させるように付勢保持されたプッシュボタンと、このプッシュボタンの前記クリップ本体内に移動可能に設けられた軸と、この軸に空けられたボタン側紐通し孔とからなるロープストッパーが知られている。
【０００４】
上述した従来技術は、収納されたカメラを取り出す場合、蓋カバーを開き保護ケース本体を左手で抑え、右手でカメラを持ち引き抜き出して両手でカメラを支持して撮影動作をするものであるので次のような理由で取扱が悪く且つ取り出しに時間がかかるために、シャッターチャンスを逃してしまう、素早い撮影動作ができないという欠点を有するものであった。
（１）左手で保護ケース本体を支持する第１動作、
右手で蓋カバーを開く第２動作、
右手でカメラを持ち引き上げ抜き外す第３動作、
左手をカメラに添える第４動作、
という４動作を行わなければ撮影可能姿勢になれない。
（２）カメラの最上部に首提げ手段が取り付けられているため、カメラの取り出し動作でカメラを引抜くと、首提げ手段通し部に通されている首提げ手段が鋭い折角度となり引張り抵抗が強くなって出しにくい、蓋カバーが邪魔になるなど取り扱い性が大変悪い。
（３）従来のロープストパーは袋やケース等に取り付け固定することができないという欠点があった。
【発明の開示】
【発明が解決しようとする課題】
【０００５】
本発明は以上のような従来技術の持つ欠点に鑑みてなされたものであって、その目的は、素早い携帯品の取り出しと取り扱い安さを実現した携帯品の保護具を提供するにある。
また本発明の他の目的は、袋やケース等に取り付け固定することができるロープストパーを提供するにある。
【０００６】
本発明の前記ならびのそのほかの目的と新規な特徴は以下の説明を添付図面と照らし合わせて読むと、より完全に明らかになるであろう。ただし、それらは解説のためであって、本発明の技術的範囲をそれらのみに限定するものではない。
【課題を解決するための手段】
【０００７】
上記目的を達成するために本発明は次のような構成となっている。
（１）請求項１記載の発明。
カメラや携帯電話などの携帯品を収納するケース本体と、このケース本体の底部に設けられた、該ケース本体内に前記携帯品を出入するための出入口と、前記携帯品に取付けられる通しロープと、前記ケース本体の上方に設けられたストッパー本体、このストッパー本体に貫通された前記通しロープを前記ケース本体の内側から外側に通すためのロープ通し穴、このロープ通し穴に通された前記通しロープをロックするとともに押す指の操作により該ロック状態を解除して該通しロープを移動自在にでき且つ前記指の操作をやめ離すと前記ロック状態とすることができるロープ制御部とからなるロープストッパーとからなり、前記携帯品が前記ケース本体に収納された状態で、前記ロープ制御部を押すと前記通しロープのロックが解除されて該携帯品が前記出入口から該携帯品の自重により下方に落ち該ケース本体外に出るようされた携帯品の保護具を構成している。
（２）請求項２記載の発明。
請求項１記載の発明の構成において、ケース本体の縦に切り込み形態で下部が開放されたロープ避け部を設けてなる携帯品の保護具を構成している。
（３）請求項３記載の発明。
首提げ紐や首提げバンドなどの首提げ手段が取り付けられ該首提げ手段で首から吊り提げたカメラやカメラ付き携帯電話などの携帯品を収納するケース本体と、このケース本体の上部に設けられた、前記首提げ手段を通し且つ該ケース本体が該首提げ手段に移動自在に案内されるようにするための首提げ手段通し部と、 前記ケース本体の上部に設けられたあるいは設けるために添付された、該ケース本体を引張り付勢力により引き上げるためのゴム紐、引張バネ、付勢巻取り装置などの引張り付勢手段と、前記ケース本体の下方あるいは横に設けられた、該ケース本体に携帯品を出し入れするための出入口と、前記ケース本体に収納された、携帯品が前記出入口から出ないように阻止し且つ該阻止状態を解除することにより携帯品の該ケース本体への出し入れが行えるようにしてなる外れ阻止部とで、前記首提げ手段を前記首提げ手段通し部に通し、前記とか前記首提げ手段に一方側を固定するとか、着衣に一方側を固定するなどして前記収納ケース前記前記本体が引張り付勢手段が収縮状態で収納する携帯品の全部あるいは一部が該ケース本体外に出るようにし、携帯品を前記ケース本体内に全部収納した状態においては前記引張り付勢手段が引っ張られて引張り付勢力が付けられた引張り付勢収納状態となり、この引張り付勢収納状態において前記外れ阻止部により携帯品から前記ケース本体が外れないように阻止され、前記外れ阻止部の阻止状態を解除するとか該阻止状態の解除と前記ケース本体のずらしにより該ケース本体が前記引張り付勢手段の引張り付勢力により上方に引っ張られて自動的に該ケース本体から外携帯品の保護具を構成している。
（４）請求項４記載の発明。
首提げ紐や首提げバンドなどの首提げ手段と、カメラやカメラ付き携帯電話などの携帯品に取付けられる通しロープと、前記首提げ手段の下方に設けられた、ストッパー本体、このストッパー本体に貫通された前記携帯品に取り付けられた前記通しロープを通すためのロープ通し穴、このロープ通し穴に通された前記通しロープをロックするとともに押す指の操作により該ロック状態を解除して該通しロープを移動自在にでき且つ前記指の操作をやめ離すと前記ロック状態とすることができるロープ制御部とからなるロープストッパーとからなり、前記ロープ制御部を押すと前記通しロープのロックが解除されて前記携帯品が前記出入口から該携帯品の自重により下方に落ちるようされてなる携帯品の保護具を構成している。
（５）請求項５記載の発明。
請求項４記載の発明の構成において、首提げ手段が首に掛ける形が崩れない部材で形成されてなる携帯品の保護具を構成している。
（６）請求項６記載の発明。
ストッパー本体と、このストッパー本体に貫通された通しロープを通すためのロープ通し穴と、前記ロープ通し穴に通された前記通しロープをロックするとともに押すの指の操作により該ロック状態を解除して該通しロープを移動自在にでき且つ前記指の操作をやめ離すと前記ロック状態とすることができるロープ制御部と、前記ストッパー本体の上部面より上側あるいは左右に設けられた主にロープやバンドなどの提げ手段を取り付けるための提げ手段取付部とでロープストッパーを構成している。
（７）請求項７記載の発明。
ストッパー本体と、このストッパー本体に貫通された通しロープを通すためのロープ通し穴と、このロープ通し穴に通された前記通しロープをロックするとともに押す指の操作により該ロック状態を解除して該通しロープを移動自在にでき且つ前記指の操作をやめ離すと前記ロック状態とすることができるロープ制御部と、前記ストッパー本体をケースやシート材などに取り付けるための該ストッパー本体の底部あるいは左右側部に設けられたケース等取付部と、前記ストッパー本体側に設けられた主にロープやバンドなどの提げ手段を取り付けるための提げ手段取付部とでロープストッパーを構成している。
【発明の効果】
【０００８】
本発明は以上説明したようになっているので次に述べるような効果を奏する。
（１）請求項１記載の発明の効果。
カメラや携帯電話などの携帯品を収納するケース本体と、このケース本体の底部に設けられた、該ケース本体内に前記携帯品を出入するための出入口と、前記携帯品に取付けられる通しロープと、前記ケース本体の上方に設けられたストッパー本体、このストッパー本体に貫通された前記通しロープを前記ケース本体の内側から外側に通すためのロープ通し穴、このロープ通し穴に通された前記通しロープをロックするとともに押す指の操作により該ロック状態を解除して該通しロープを移動自在にでき且つ前記指の操作をやめ離すと前記ロック状態とすることができるロープ制御部とからなるロープストッパーとからなり、前記携帯品が前記ケース本体に収納された状態で、前記ロープ制御部を押すと前記通しロープのロックが解除されて該携帯品が前記出入口から該携帯品の自重により下方に落ち該ケース本体外に出るようされた携帯品の保護具を構成しているので、
例えば首に提げた首下げロープ（通しロープ）をロープ通し穴に通し、該首下げロープに携帯品を吊り下げることによって、携帯品をケース本体内に収納した状態では、ロープ制御部を指で操作して移動可能として、ロープストッパーおよびケース本体を持ち上げて携帯品を該ケース本体の外に出すとともに、ロープ制御部をロック状態とすることにより、携帯品を該ケース本体の外に出した状態で首下げロープ上にケース本体を止め置くことができる、且つ、携帯品のケース本体内への収納状態もロックできるので、ケース本体の底が開放状態とか底のないケース本体においても、収納された携帯品がどのような使用状態においても外に出ることがないという効果を得ることができる。
すなわち、底の完全開放のケースでの携帯品の素早い取り出し取り入れと安全な収納保護を実現するという効果を得ることができる。
また、通しロープをフリー状態とすることにより、ロック状態を解除すると携帯品の自重でケース本体から該携帯品を落とし出すことができるので、スムーズで素早い携帯品の取り出しができるという効果を得ることができる。
また、携帯電話や小型カメラに限らず例えば、置換撃退などの携帯警報装置などの収納も、装置を露出させず違和感なく携帯することができるという効果をえることができる。
また、収納されている携帯品を落とす携帯であるのでケース本体を底なしとでき、これによりケース本体のデザインを鐘形など多様な形態にして、ケース本体を単なるケースに制限しないファッショナブルなものにできるという効果を得ることができる。
（２）請求項２記載の発明の効果。
請求項１記載の発明の構成において、ケース本体の縦に切り込み形態で下部が開放されたロープ避け部を設けてなる携帯品の保護具を構成している。
（３）請求項３記載の発明の効果。
携帯品を収納したケース本体は引張り付勢手段により引張り付勢状態にあるので、外れ阻止部を解除するとケース本体は自動的に引張り上げられ携帯品から外れる、あるいは携帯品を少しずらすだけでケース本体は自動的に引張り上げられ携帯品から外れるので、携帯品を素早く手に持ってそのまま撮影動作と出来るので、シャッターチャンスを逃さないとう効果を得ることができる。
（４）請求項４記載の発明の効果。
首提げ紐や首提げバンドなどの首提げ手段と、カメラやカメラ付き携帯電話などの携帯品に取付けられる通しロープと、前記首提げ手段の下方に設けられた、ストッパー本体、このストッパー本体に貫通された前記携帯品に取り付けられた前記通しロープを通すためのロープ通し穴、このロープ通し穴に通された前記通しロープをロックするとともに押す指の操作により該ロック状態を解除して該通しロープを移動自在にでき且つ前記指の操作をやめ離すと前記ロック状態とすることができるロープ制御部とからなるロープストッパーとからなり、前記ロープ制御部を押すと前記通しロープのロックが解除されて前記携帯品が前記出入口から該携帯品の自重により下方に落ちるようされてなる携帯品の保護具を構成している。
（５）請求項５記載の発明の効果。
請求項４記載の発明の構成において、首提げ手段が首に掛ける形が崩れない部材で形成されてなる携帯品の保護具を構成している。
（６）請求項６記載の発明の効果。
ストッパー本体と、このストッパー本体に貫通された通しロープを通すためのロープ通し穴と、前記ロープ通し穴に通された前記通しロープをロックするとともに押すの指の操作により該ロック状態を解除して該通しロープを移動自在にでき且つ前記指の操作をやめ離すと前記ロック状態とすることができるロープ制御部と、前記ストッパー本体の上部面より上側あるいは左右に設けられた主にロープやバンドなどの提げ手段を取り付けるための提げ手段取付部とでロープストッパーを構成しているので、
ケースなどにロープストッパーを取り付けるだけで、首下げロープを取り付ける部位が同時に設けられるので、ケースにロープを取り付けたり取り付ける部位を形成する必要がなく、ケースの作成が行い易い、ロープを交換することが簡単にできるなど大変便利であるという効果を得ることができる。
（７）請求項７記載の発明の効果。
ストッパー本体と、このストッパー本体に貫通された通しロープを通すためのロープ通し穴と、このロープ通し穴に通された前記通しロープをロックするとともに押す指の操作により該ロック状態を解除して該通しロープを移動自在にでき且つ前記指の操作をやめ離すと前記ロック状態とすることができるロープ制御部と、前記ストッパー本体をケースやシート材などに取り付けるための該ストッパー本体の底部あるいは左右側部に設けられたケース等取付部と、前記ストッパー本体側に設けられた主にロープやバンドなどの提げ手段を取り付けるための提げ手段取付部とでロープストッパーを構成している。
【発明を実施するための最良の形態】
【０００９】
以下、図面に示す発明を実施するための最良の形態により、本発明を詳細に説明する。
【００１０】
図１ないし図４に示す本発明を実施するための最良の第１の実施の形態において１は保護収納ケースであって、この保護収納ケース１は首提げ紐や首提げバンドなどの首提げ手段２で首から吊り提げたカメラやカメラ付き携帯電話などの携帯品を収納するケース本体３と、このケース本体３の上部に設けられた、首提げ手段２を通し且つケース本体３が首提げ手段２に移動自在に案内されるようにするための首提げ手段通し部４と、ケース本体３の上部に設けられた、ケース本体３を引張り付勢力により引き上げるためのゴム紐、引張バネ、付勢巻取り装置などの引張り付勢手段５と、ケース本体３の低部に設けられた、ケース本体３内に携帯品を出し入れするための出入口６と、ケース本体３に収納された、カメラ７が出入口６から出ないように阻止し且つ該阻止状態を解除することによりカメラ７のケース本体３への出し入れが行えるようにしてなる底蓋舌形態の外れ阻止部８と、この外れ阻止部８の内側に設けられた該外れ阻止部８のケース本体３の解放底を塞ぎ状態で保持するための面ファスナー９と、この面ファスナー９に係合するケース本体３の表側に設けられた面ファスナー１０と、引張り付勢手段５の端に設けられたプッシュロープストッパー１１とから構成されている。
ロープストッパー１１は本体側紐通し孔を有するクリップ本体と、このクリップ本体にスプリングで押し出させるように付勢保持されたプッシュボタンと、このプッシュボタンの前記クリップ本体内に移動可能に設けられた軸と、この軸に空けられたボタン側紐通し孔とからなっていて、プッシュボタンを押して本体側紐通し孔とボタン側紐通し孔を重ね状態にして該孔に首提げ手段２の両紐を通して該首提げ手段２にセットして使用する。プッシュボタンを指で押すと本体側紐通し孔とボタン側紐通し孔を重ね状態となり、ロープストッパーは移動することができ、プッシュボタンを離すと、スプリングの付勢力で押され本体側紐通し孔とボタン側紐通しがズレて首提げ手段２を挟み付けてその部位に固定されるようになっている。
図２に示すように、首提げ手段２を首提げ手段通し部４に通し、引張り付勢手段５のロープストッパー１１を首提げ手段２を一つにまとめるように該首提げ手段２に固定し、引張り付勢手段５の収縮状態でカメラ７の殆どがケース本体３外に出るようにし、カメラ７をケース本体３内に全部収納した状態においては引張り付勢手段５が引っ張られて引張り付勢力が付けられた引張り付勢収納状態となり、この引張り付勢収納状態において外れ阻止部８によりカメラ７からケース本体３が外れないように阻止される。
図３および図４に示すように、外れ阻止部８の阻止状態を解除して手を離すとケース本体３が引張り付勢手段５の引張り付勢力により上方に引っ張られて（引張り付勢手段５の収縮状態）自動的にケース本体３から外れるように動作する。あるいは、ケース本体３を軽く手で支持して上に上げるように導くことにより、素早くカメラ７から外すこと（カメラ７を外に出すこと）ができる。
（発明を実施するための異なる形態）
【００１１】
次に、本発明を実施するための異なる形態について説明する。なお、これら本発明を実施するための異なる形態の説明に当たって、本発明を実施するための最良の第１の実施の形態と同一構成部分には同一符号を付して重複する説明を省略する。
【００１２】
図５に示す本発明の第２の実施の形態において前記本発明の最良の第１の実施の形態と主に異なる点は、出入口をケース本体３の両側部に出入口１３、１４を設け、該出入口１３、１４を塞ぐ外れ阻止部１５、１６を設けた保護収納ケース１７を形成した点にある。
【００１３】
図６に示す本発明の第３の実施の形態において前記本発明の最良の第１の実施の形態と主に異なる点は、出入口をケース本体３の両側部に出入口１３、１４を設け、該出入口１３、１４を塞ぐ外れ阻止部該出入口１３、１４の内側に設けた面ファスナー９、１０により形成した保護収納ケース２０を形成した点にある。首提げ手段通し部４は裏側に形成している。
【００１４】
図７に示す本発明の第４の実施の形態において前記本発明の最良の第１の実施の形態と主に異なる点は、出入口６を塞ぎカメラ７をケース本体内に保持しておくための外れ阻止部の構成を、前後に設けた前舌部２２と後舌部２３と、該前舌部２２、後舌部２３に設けた面ファスナー９、１０とした保護収納ケース２４を形成した点にある。
引張り付勢手段２５は一方の側にロープストッパー１１を設け、他方の側にクリップ１２を設けたものである。
【００１５】
図８に示す本発明の第５の実施の形態において前記本発明の最良の第１の実施の形態と主に異なる点は、引張り付勢手段をゴム紐や細線コイルスプリング紐などからなる引張り付勢手段２６とした保護収納ケース２７を形成し、首提げ手段を首提げ部の中途に引張り付勢手段２６を提げ止めるなどして止める付勢手段取付け部２８を設けてなる首提げ手段２９とした点にある。
付勢手段取付け部２８は首提げ手段２９の分かれている首提げ紐（バンドを含む）を１本にまとめて、保護収納ケース２７がスムーズに移動できるようにする。３０はカメラ取付け部。
【００１６】
図９に示す本発明の第６の実施の形態において前記本発明の最良の第１の実施の形態と主に異なる点は、引張り付勢手段を設けない保護収納ケース３３を形成し、首提げ手段２にロープストッパー１１を設け、ロープストッパー１１に引張り付勢手段３５を設け、引張り付勢手段３５の端方にクリップ１２を設け、該クリップ１２を保護収納ケース３３に取付けて使用するようにした点にある。
【００１７】
図１０に示す本発明の第７の実施の形態において前記本発明の最良の第１の実施の形態と主に異なる点は、首に提げる形態の引張り付勢手段３７を設けた保護収納ケース３８を形成した点にある。
【００１８】
図１１に示す本発明の第８の実施の形態において４０は携帯品の保護具であって、この携帯品の保護具４０はカメラやカメラ付き携帯電話などの携帯品を提げ取り付ける携帯品取付け部４１、この携帯品取付け部４１から上方に延びた提げ紐部４２、この提げ紐部４２を指の操作により止め状態としたり移動可能状態としたり制御するロープストッパー４３、このロープストッパー４３から延びた首に提げる首提げ部４４とからなる首提げ手段４５と、この首提げ手段４５に吊り提げられたカメラ７を収納するケース本体３、このケース本体３の上部に設けられた提げ紐部４２を移動可能に通してなる首提げ手段通し部４、ケース本体３の低部を開口してなるあるいは開口できるようにしてなる該ケース本体３内に収納されているカメラ７を出入するための出入口６とからなる保護収納ケース４６とからなっている。
保護収納ケース４６はロープストッパー４３にその上部を固定されている。
首提げ部４４を首に提げカメラ７を首から吊り提げた状態にして、止め状態に在るロープストッパー４３を指で移動可能状態とすると提げ紐部４２はカメラ７の自重に引っ張られて下方に向け移動しカメラ７は下方に降下して保護収納ケース４６の外に出るようにしてなる。
ロープストッパー４３はストッパー本体４７と、該ストッパー本体４７の上部に設けられた紐通し孔４８を有するリング形態の紐通し部固定部４９とからなっていて、ケース本体３に接着等により固定されている。５０は紐通し孔、５１は該紐通し孔５０に通した紐を該５１を移動可能にしたり挟持止めるためのプッシュボタンである。
提げ紐部４２に取り付けられたストッパー５２は、カメラ７の降下を所定の降下位置で停止させるためのものである。
【００１９】
図１２に示す本発明の第９の実施の形態において前記本発明の第８の実施の形態と主に異なる点は、保護収納ケース４６の支持を引張り付勢手段３５により行うようにした携帯品の保護具５５を形成した点にある。
【００２０】
図１３に示す本発明の第１０の実施の形態において５９は携帯品の保護具であって、この携帯品の保護具５９は上部に紐通し部６０を有する底開口袋形態のケース本体６１と、該ケース本体６１の上部に設けられた結束紐６２と、ロープストッパー１１と、該ロープストッパー１１に両端を固定された首提げ手段６３と、ロープストッパー１１の紐通し孔５０に通されたカメラ７を吊提げる吊提げ紐６４と、該吊提げ紐６４のロープストッパー１１の外側に設けられたカメラ７がケース本体６１の出入口６から全部出る距離の部位に設けられたストッパー６５と、該ストッパー６５からさらに間隔をあけて設けられた指で摘み吊提げ紐６４を引き上げるための摘み玉６６とからなっている。
結束紐６２は首提げ手段６３に回して結束し下降しないように固定するためのものである。
一方の手をケース本体６１の下方に受け体制で構え、もう一方の手でプッシュボタン５１を押す、カメラ７は下方に落ちるので一方の手で受けもう一方の手を添えそのまま撮影動作に入れる。
プッシュボタン５１を押すと、ケース本体６１に収納されているカメラ７は自重で落ち該ケース本体６１の外に出るので、素早くカメラを構え撮影することができる。ロープストッパー１１を支持し他方の手で摘み玉６６を摘み引き上げてカメラ７をケース本体６１内に収納する。
ケース本体６１の底が開口されたままの形態でも、ロープストッパー１１側にケース本体６１が固定され且つロープストッパー１１で吊提げ紐６４が固定されるので、カメラ７はケース本体６１内に保持され外に出ることがなく、底が開口しているのでロープストッパー１１のワン操作でカメラ７を出す、究極の素早い撮影動作への移行を可能としている。
【００２１】
図１４に示す本発明の第１１の実施の形態において６９は携帯品の保護具であって、この携帯品の保護具６９はケース本体６１と、該ケース本体６１の上部に接着部（溶着を含む）７０で該ケース本体６１と接合固定されたロープストッパー１１とからなっている。ロープストッパー１１とケース本体６１の一体化は紐による連結やクリップによる連結など多様なやり方がある。ロープストッパー１１とケース本体６１が一体的に動くように形成されていればよい。ロープストッパー１１に紐などを提げ結ぶなどするリングやフックを設けたものがよい。
カメラ７を提げた首提げ手段２を通し首に提げ、プッシュボタン５１を押して昇降させるとカメラ７をケース本体６１から出したり入れたりできる。正確にはカメラ７からケース本体６１を外したり被せたりできる。
【００２２】
図１５に示す本発明の第１２の実施の形態において７２は携帯品の保護具であって、この携帯品の保護具７２はケース本体６１と、該ケース本体６１の上部に空けられた穴上に固定されたロープストッパー１１とからなっている。
カメラ７を提げた首提げ手段２をケース本体６１の内側からロープストッパー１１を通してカメラ７をケース本体６１内に収納して首提げ手段２を首に提げる。
撮影時にはロープストッパー１１を指で摘みプッシュボタン５１を押しロープ止め状態を開放してそのまま引き上げて、カメラ７が外に出す。
プッシュボタン５１を離してロープ止め状態にしてケース本体６１を首提げ手段２上部に止め固定しておいて撮影を行う。
ケース本体６１に固定されたプッシュボタン５１により、テーブル等においてもカメラはケース本体から出ることがなく、外れ阻止部８やそれらを係止しる面ファスナーなどの必要がない、外れ阻止部の開放操作をすることなくより素早くカメラを外に出せるのでより素早い撮影動作が行えるという効果を得ることができる。
従来技術の外れ阻止部８などがないと、テーブル等に置いた状態やバックに入れた状態などではケース本体からカメラが出てしまうという欠点を解決するものである。外れ阻止などがなくともカメラがケースから出る心配がなく且つより素早く撮影動作ができる携帯品の保護具を提供することを目的としている。
【００２３】
図１６に示す本発明の第１３の実施の形態において前記本発明の第１の実施の形態と主に異なる点は、引張り付勢手段をクリップ１２、１２を両端に設けたゴム紐からなる引張り付勢手段７４とした携帯品の保護具７５を形成した点にある。
【００２４】
図１７および図１８に示す本発明の第１４の実施の形態において７７はロープストッパーであって、このロープストッパー７７はストッパー本体７８と、このストッパー本体７８の上下方向に貫通されたロープ通し穴７９と、ストッパー本体７８の前方からロープ通し穴７９に貫通されたプッシュボタン通し穴８０と、このプッシュボタン通し穴８０の対向側でロープ通し穴７９壁にあけられたバネ支持穴８１と、このバネ支持穴８１に一部を入れ該バネ支持穴８１に支持される圧縮コイルバネ８２と、プッシュボタン通し穴８０に移動自在に通され且つ圧縮コイルバネ８２に常に押し出し付勢状態にされているプッシュ本体８３、このプッシュ本体８３の胴部に形成された通しロープ８４を通すロープ通し穴８５、プッシュ本体８３の先端部に設けた抜け防止突起８６とからなる摘んだ指の押し込み離し操作で通しロープ８４のロック・開放制御するプッシュボタンであるロープ制御手段８７と、ストッパー本体７８の底部に突出設けられた歯止雄部であるケース等取付部８８とからなっている。
ケース等取付部８８には歯止雌体８９が抜けないように填まるようになっている。ケース等取付部８８の外側の小ギザギザの外歯９０と歯止雌体８９の内側の小ギザギザの内歯９１が噛合って抜けないように填まり合う。
ロープ制御手段８７は開放されている状態では圧縮コイルバネ８２により外側に押し押されてロープ通し穴８５とロープ通し穴７９がズレ状態にあって、通された通しロープ８４はロープ通し穴８５とロープ通し穴７９とに付勢挟持状態となって移動ストップ状態となり、ロープ制御手段８７を指で押しロープ通し穴８５とロープ通し穴７９が重なり状態となり、通しロープ８４は移動可能状態となる。
【００２５】
図１７に示す携帯品の保護具９３は、底の開放で天井閉じ形態で天井部の中央に切り込みや小穴からなるストッパー取付部９４を設けたケース本体９５と、ストッパー取付部９４に外側からケース等取付部８８を通し内側から歯止雌体８９を該歯止雌体８８に填め込んでロープストッパー７７を取付固定してなるもである。
このように、ロープストッパー７７はケース本体の上部に穴をあける等設けるだけで簡単に取り付けて、携帯品の保護具９３を作ることができる。
操作は本発明の第１０の実施の形態と同様である。
ケース本体９５の裏側に着衣に該ケース本体９５を止める止めピンなどの止め手段を設けるのがよい。こうすることにより、前かがみになったり、激しい体の動きがあってもケース本体および収納した携帯品の動く範囲を着衣に止めた狭い範囲とすることができるいという効果を得ることができる。
【００２６】
図１９に示す本発明の第１５の実施の形態において９９はロープストッパーであって、このロープストッパー９９の前記本発明の第１４の実施の形態のロープストッパー７７と主に異なる点は、首提げ手段２を通し取り付けてロープストッパー９９を吊り下げ状態とするための取付穴からなる取付部位１００、１０１を有する翼形態の提げ手段取付部１０２、１０３を設けた点にある。
取付部位１００、１０１は穴に限らず溝、突起など多様な形態がある。
【００２７】
図２０に示す本発明の第１６の実施の形態において１０５はロープストッパーであって、このロープストッパー１０５の前記本発明の第１４の実施の形態のロープストッパー７７と主に異なる点は、ストッパー本体７８の背部にフック形態の首提げ手段２にロープストッパー１０５を吊り下げ状態とするための提げ手段取付部１０６を設け、ロープストッパー１０５の下部にフランジ１０７を設けた点にある。
【００２８】
図２１に示す本発明の第１７の実施の形態において１０９はロープストッパーであって、このロープストッパー１０９の前記本発明の第１４の実施の形態のロープストッパー７７と主に異なる点は、ストッパー本体７８の背部に首提げ手段２にロープストッパー１０５を吊り下げ状態とするためのリング形態の提げ手段取付部１１０を設け、歯止雌体を両横に伸びる翼・腕形態のケースの天井部を内側から支持するケース支持部１１１、１１２を設けた歯止雌体１１３を形成した点にある。
【００２９】
図２２に示す本発明の第１８の実施の形態において１１５はロープストッパーであって、このロープストッパー１１５の前記本発明の第１４の実施の形態のロープストッパー７７と主に異なる点は、ストッパー本体７８の背部（裏側）に該ストッパー本体７８を着衣に止めるためのクリップ形態の着衣止め手段１１６を一体的に成型設けた点にある。
【００３０】
図２３に示す本発明の第１９の実施の形態において１１８はロープストッパーであって、このロープストッパー１１８の前記本発明の第１４の実施の形態のロープストッパー７７と主に異なる点は、ストッパー本体７８の上部に該ストッパー本体７８を着衣に止めるための略リング形態の着衣止め手段１１６を一体的に成型設け、着留め手段１１６の上部に通しロープ８４を掛け置くためのロープ入れ部１１９を有するリング形態のロープ掛け部１２０を設けた点にある。
ロープ掛け部を設けたのでカメラなどを吊るしたロープを掛けるとか結ぶとかして掛けおくことができ、ロープにストッパーなどを取り付けなくてもよい。
特に、携帯品をつけたままでのロープ掛け部への通しロープ８４の取り付けと取り外しが容易にできるという効果を得ることができる。
【００３１】
図２４に示す本発明の第２０の実施の形態において１２２はロープストッパーであって、このロープストッパー１２２の前記本発明の第１４の実施の形態のロープストッパー７７と主に異なる点は、ストッパー本体７８の上部に該ストッパー本体７８を着衣に止めるための略リング形態の着衣止め手段１１６を一体的に成型設け、着留め手段１１６の上部に通しロープ８４を掛け置くためのロープ入れ部１１９を有する上方に長て方向を向けた長方形形態のロープ掛け部１２３を設けた点にある。
ロープ掛け部１２３は上方に長いので掛けた通しロープ８４を持ち該ロープ掛け部１２３に掛けたまま引き上げ操作が行い易いという効果を得ることができる。
【００３２】
図２５に示す本発明の第２１の実施の形態において１２５はロープストッパーであって、このロープストッパー１２５の前記本発明の第１４の実施の形態のロープストッパー７７と主に異なる点は、ストッパー本体７８の上部に該ストッパー本体７８を着衣に止めるための略リング形態の着衣止め手段１１６を一体的に成型設け、着留め手段１１６の上部に通しロープ８４を掛け置くための頭部を曲げた持ち上げ止め部１２６を有する上方に長い棒形態のロープ掛け部１２７を設けた点にある。
【００３３】
図２６に示す本発明の第２２の実施の形態において１２９はロープストッパーであって、このロープストッパー１２９前記本発明の第１４の実施の形態のロープストッパー７７と主に異なる点は、ストッパー本体７８の底部に雄ネジ部１３０を設け、該１３０に螺合するナット１３１を設けた点にある。
【００３４】
図２７および図２８に示す本発明の第２３の実施の形態において１３３はロープストッパーであって、このロープストッパー１３３前記本発明の第１４の実施の形態のロープストッパー７７と主に異なる点は、ストッパー本体７８の上部に首提げ手段２を下部のロープ出入口１３４から通し該ストッパー本体７８を吊り状態とするための提げて手段等取付部１３５を設け、該提げて手段取付部１３５の上部に通しロープ８４を通すためのロープ出入口１３６を上部に有する上部方向に長手のロープ掛け部１３７を設け、該ロープ掛け部１３７に上下段形態のロープ掛けフック１３８ａ〜１３８ｅを設け、ケース本体７８内のロープ８７を先端のロープ係止部に係止して引き上げロープ通し穴７９、８５に通すためのロープ通し具１３９を設けた点にある。
ロープ掛けフック１３８ａ〜１３８ｅにより通しロープ８４の掛け位置を該通しロープ８４に下げた携帯品がケース本体から最適な位置に落ち出るようにすることができる。
ロープ通し具１３９はロープ係止部１４０、棒部１４１、掛け部１４２とからなっている。
【００３５】
図２９に示す本発明の第２４の実施の形態において１３３はロープストッパーであって、このロープストッパー１３３前記本発明の第１４の実施の形態のロープストッパー７７と主に異なる点は、ストッパー本体７８の上部に通しロープ８４を通しいれるためのロープ出入口１３６を上部に有するロープ掛け部１３７を設け、該ロープ掛け部１３７に上下段形態のロープ掛けフック１３８ａ〜１３８ｅを設けてなるロープストッパー１４３を形成した点にある。
【００３６】
図３０に示す本発明の第２５の実施の形態において１４５はロープストッパーであって、このロープストッパー１４５の前記本発明の第１４の実施の形態のロープストッパー７７と主に異なる点は、ケース等取付部を左右側部に突出させたアーム形態のケース等取付部１４６ａ、１４６ｂとした点にある。
ケース等取付部１４６ａ、１４６ｂには結びつけた紐がずれないようにするための溝からなる紐掛け部１４７が設けられている。紐掛け部は突起や穴などでもよいことは言うまでもない。
ケース本体の上部に結束紐を設け、この結束紐をケース等取付部１４６ａ、１４６ｂに縛り付けて、ケース本体上部にロープストッパー１４５を取り付ける。
【００３７】
図３１に示す本発明の第２６の実施の形態において１４９はロープストッパーであって、このロープストッパー１４９の前記本発明の第１４の実施の形態のロープストッパー７７と主に異なる点は、背部にピン入り口１５０を有するピン止め取付部１５１にピン止めからなる着衣止め手段１５２を取り付けてなる点にある。
図のようなピン止め以外にも、摘み部付きピンとこのピンを挟持するピンキャッチ体の二部品（この二部品はワイヤや鎖や紐で繋がれている場合が多い）からなるものをピン止め取付部に取り付けて着衣止め手段とするのも同じものである。この場合、ピン止め取付部はワイヤーなどを保持する小孔を有する形態などにするとか、提げ手段取付部１１０に取り付けるなどすることにより形成する。
【００３８】
図３２に示す本発明の第２７の実施の形態において１５４はロープストッパーであって、このロープストッパー１５４の前記本発明の第１４の実施の形態のロープストッパー７７と主に異なる点は、ロープ制御手段をストッパー本体７８の上部に設けた略洗濯挟具形態のクリップからなるロープ制御手段１５５とした点にある。
１５３は固定部、１５６は可動部、１６０は押さえ部、１６５はスプリング。
【００３９】
図３３に示す本発明の第２８の実施の形態において１５７はロープストッパーであって、このロープストッパー１５７の前記本発明の第１４の実施の形態のロープストッパー７７と主に異なる点は、ケース等取付部をストッパー本体７８の下部に設けた回動自在の挟持板からなるケース等取付部１５８、１５８とした点にある。ケース等取付部１５８は前後にある。
ケース等取付部１５８と挟持受け部１５９あるいは該挟持受け部１５８のみに粘着剤を設け、ケース本体の上部開口部位の布部位を挟持接着して取り付ける。
ケース等取付部１５８に布を突き抜けるピンを設け、挟持受け部１５９にピン嵌合穴を設けて、ピンとピン嵌合穴の嵌合で布を挟持し挟持状態を保持するのもよい。
【００４０】
図３４に示す本発明の第２９の実施の形態において１６１はロープストッパーであって、このロープストッパー１６１の前記本発明の第１４の実施の形態のロープストッパー７７と主に異なる点は、バネ支持穴８１を貫通したプッシュボタン通し穴１６２とし、ブッシュ本体をプッシュボタン通し穴１６２を通抜ける形態のプッシュ本体１６３とし、圧縮コイルバネを外側にセットしたロープ制御部１６４を形成した点にある。
【００４１】
図３５に示す本発明の第３０の実施の形態において１６６はロープストッパーであって、このロープストッパー１６６の前記本発明の第１４の実施の形態のロープストッパー７７と主に異なる点は、ロープ制御手段をプッシュボタン通し穴８０、１６２に通したプッシュ本体１６３の前方に指摘み引きボタン１６７を設け後部にバネ受け部１６８を設け、ストッパー本体７８とバネ受け部１６８の間に圧縮コイルバネ８２をセットして、指摘み引きボタン１６７を摘み引くとか指を押し込み前方に動かすとかすることにより、通しロープ８４のロック・開放を制御するロープ制御手段１６９を形成した点にある。
【００４２】
図３６に示す本発明の第３１の実施の形態において１７１はロープストッパーであって、このロープストッパー１７１の前記本発明の第１４の実施の形態のロープストッパー７７と主に異なる点は、ケース等取付部をストッパー本体７８の底部に設けた雌歯止からなるケース等取付部１７２とした点にある。
ケース等取付部１７２にはフランジ１７３を有する雄歯止１７４を填め込んでケース等に取り付け固定する。１７５は雄歯止部位。
【００４３】
図３７に示す本発明の第３２の実施の形態において１８０は携帯品の保護具であって、この携帯品の保護具１８０はネクタイ形態の首提げ体１８１と、この首提げ体１８１の裏側に設けられた携帯電話や小型カメラなどの携帯品を収納下部から出入収納する逆ポケット携帯の携帯品保持部１８２と、この携帯品保持部１８２の上部に設けられたロープストッパー７７とからなっている。
１８３は首装着バンド、１８４は着脱自在の連結クリップ。
操作は本発明の第１４の実施の形態の携帯品の保護具９３と同じように操作する。
【００４４】
図３８に示す本発明の第３３の実施の形態において１８６は携帯品の保護具であってこの携帯品の保護具１８６の前記本発明の第３２記載の発明と主に異なる点は、携帯品保持部１８２の中央縦に切り込み形態のロープ避け部１８７を設けた点にある。
【００４５】
図３９に示す本発明の第３４の実施の形態において１８９は携帯品の保護具であってこの携帯品の保護具１８９の前記本発明の第３２記載の発明と主に異なる点は、携帯品保持部をポケット形態の携帯品保持部１９０とした点にある。
携帯品保持部１９０はもっと深めでもよいし、携帯品７に装着するストラップはネクタイや携帯品保持部の一部を挟持するクリップを設けものや、図のように首に掛けるような首掛け手段１９１でもよい。
【００４６】
図４０に示す本発明の第３５の実施の形態において１９２は携帯品の保護具であってこの携帯品の保護具１９２の前記本発明の第３２記載の発明と主に異なる点は、携帯品保持部をポケット形態の携帯品保持部１９０とし、首下げ体１８１の裏側にクリップ固定部１９３を設けた点にある。
クリップ固定部１９３に携帯品７に付けたストラップ１９４の挟持クリップ１９５を取りつけて使用する。この際、挟持クリップ１９５は着衣もあわせて挟持することができるという効果を得ることができる。
【００４７】
図４１に示す本発明の第３６の実施の形態において２００はロープストッパーであって、このロープストッパー２００はコの字形態のストッパー本体２０１と、このストッパー本体２０１の上梁部２０２と、ストッパー本体２０１の下梁部２０３と、上梁部２０２に上下向きに空けられたロープ通し孔２０４と、下梁部２０３に上下向きに空けられたロープ通し孔２０５と、上梁部２０２の横に付勢押し出し移動形態で指で押し込むとロープ通し孔２０４と重なるロープ通し孔（図示せず）を設けてなる通されたロープ２０７のロック・ロック解除を行うロックＯＮ・ＯＦＦボタン２０８と、下梁部２０３の横に付勢押し出し移動形態で指で押し込むとロープ通し孔２０５と重なるロープ通し孔（図示せず）を設けてなる通されたロープ２０７のロック・ロック解除を行うロックＯＮ・ＯＦＦボタン２０９とから構成されている。
上梁部２０２と下梁部２０３の間は指一本が通る程度の間隔で設けられている。
ロープ２０７で形成された首にループ２０６を首に掛け、上梁部２０２と下梁部２０３の間からロープ２０７を引き出す長さにより、ロープ２０７に下げた携帯品（図示せず）の上下位置を好みの位置に保持することができる。また、ロープストッパー２００を好みの上下位置に肘することができる。
これらの操作は身体の前方で行うことができるものである。
ロープ２０７と、該ロープ２０７を通したロープストッパー２００でネックストラップ３００を形成している。
【００４８】
図４２に示す本発明の第３７の実施の形態において前記本発明の第３６の実施の形態と主に異なる点は、ロックＯＮ・ＯＦＦボタン２０８とロックＯＮ・ＯＦＦボタン２０９を連結した連結部３０２を設けてロックＯＮ・ＯＦＦボタン２０８と２０９を同時に押し込み操作ができるようにしたロープストッパー３０３を形成した点にある。
【００４９】
図４３に示す本発明の第３８の実施の形態において携帯品下げ装置３０５は、ロープストパー３０３と、このロープストッパー３０３に通され首に掛けるループ２０６を形成してなるロープ２０７と、このロープ２０７の先端に下げられたクリップ付きロープストッパー３０６とからなっている。
クリップ付きロープストッパー３０６はロープストッパー１１と、該ロープストッパー１１に立ち上げられたロープ取付け部３０７と、該ロープ取付け部３０７に設けられたワイシャツの袷を挟持するクリップ３０８とからなっている。
ロープストッパー１１には抜け止めのストッパー５２を設けた一本の通しロープ８４が通され携帯電話３０９が下げられている。
この構成により、好みの上下位置に携帯電話などの携帯品を吊り保持することができ、クリップにより横揺れを起こさないように吊ることができる。
ロープ２０７と、該ロープ２０７を通したロープストッパー３０３でネックストラップ３０４を形成している。
【００５０】
図４４に示す本発明の第３９の実施の形態において前記本発明の第３８の実施の形態と主に異なる点は、底抜けケース４０１をクリップ３０８を二つ設けたダブルクリップ４０２で服の袷の好みの部位に係止し、携帯電話３０９を吊ったネックストラップ３０４を首に掛け、携帯電話３０９がケース４０１に収まるように調節している。
ネックストラップ３０４と、ケース４０１とで携帯品の保護具４０３を形成している。
【００５１】
図４５に示す本発明の第４０の実施の形態において携帯品の保護具４０６は、ネックストラップ３０４にクリップ３０８と面ファスナー４０７ａを設けてなる吊り体４０８を吊り下げた構成となっている。
ネックストラップ３０４を首に掛けて、クリップ３０８を好みの位置で服の袷に取付け、クリップ３０８を設けた伸縮ストラップ４０９に面ファスナー４０７ｂを背部に貼り付けた携帯電話３０９を、クリップ３０８をロープ２０７に取付け、面ファスナー４０７ａに面ファスナー４０７ｂを係合して携帯電話３０９を吊り体４０８に係止する。
【００５２】
図４６に示す第４１の実施の形態において、図４６は側面図、正面図および使用状態図である。
【００５３】
図４７に示す第４２の実施の形態において、図４７は使用状態図である。
【００５４】
図４８に示す第４３の実施の形態において、図４８は使用状態図である。
【００５５】
図４９に示す第４４の実施の形態において、図４９は使用状態図である。
【００５６】
図５０に示す第４５の実施の形態において、図５０は使用状態図である。
【００５７】
図５１に示す第４６の実施の形態において、図５１は使用状態図である。
【００５８】
図５２に示す第４７の実施の形態において、図５２は使用状態図である。
【００５９】
図５３に示す第４８の実施の形態において、図５３は側面図および正面図である。
【００６０】
図５４に示す第４９の実施の形態において、図５４は使用状態図である。
【００６１】
図５５に示す第５０の実施の形態において、図５５は使用状態図である。
【００６２】
図５６に示す第５１の実施の形態において、図５６は側面図および使用状態図である。
【００６３】
図５７に示す第５２の実施の形態において、図５７は側面図である。
【００６４】
図５８に示す第５３の実施の形態において、図５８は側面図および使用状態図である。
【００６５】
図５９に示す第５４の実施の形態において、図５は側面図および使用状態図である。
【００６６】
図６０に示す第５５の実施の形態において、図６０は側面図である。
【００６７】
図６１に示す第５６の実施の形態において、図６１は側面図および使用状態図である。
【００６８】
図６２に示す第５７の実施の形態において、図６２はネクタイへの取付け状態側面図である。
【００６９】
図６３に示す第５８の実施の形態において、図６３はネクタイへの取付け状態側面図である。
【００７０】
図６４に示す第５９の実施の形態において、図６４はネクタイへの取付け状態側面図である。
【００７１】
図６５に示す第６０の実施の形態において、図６５は正面図および取付け状態図である。
【００７２】
図６６に示す第６１の実施の形態において、図６６は使用状態図である。
【００７３】
図６７に示す第６２の実施の形態において、図６７は使用状態図である。
【００７４】
図６８に示す第６３の実施の形態において、図６８は側面図および使用状態図である。
【００７５】
図６９に示す第６４の実施の形態において、図６９は側面図および使用状態図である。
【００７６】
図７０に示す第６５の実施の形態において、図７０は側面図および使用状態図である。
【００７７】
図７１に示す第６６の実施の形態において、図７１は側面図および使用状態図である。
【００７８】
図７２に示す第６７の実施の形態において、図７２は正面図である。
【００７９】
図７３に示す第６８の実施の形態において、図７３は側面図および使用状態図である。
【００８０】
図７４に示す本発明の第６９の実施の形態において携帯品下げ具５００は、首に掛ける形が崩れない部材で形成された首掛け部５０１と、この首掛け部５０１の下方端に設けられたロープストッパー１１とからなっている。
ロープストッパー１１には通しロープ８４が通され、この通しロープ８４の下方には携帯電話３０９が下げられている。
通しロープ８４の上方には磁石が設けられたストッパー５２が設けられ、首掛け部５０１の適宜な部位に磁着できるようになっている。
首掛け部は形が固定されてなるもの、手で曲げ塑性変形させて好みの形にすることができるものなどがある。
【００８１】
図７５に示す本発明の第７０の実施の形態において前記本発明の第６９の実施の形態と主に異なる点は、首掛け部５０１にイヤホンケーブルを這わせ、プラグ５０３を携帯電話３０９に接続して聴き端末装置５０４を耳に入れ聞く、頬骨あたりに当てたりくっつけたりして骨伝動で聞くようにしてなる携帯品首下げ具を形成した点にある。
【００８２】
図７６に示す本発明の第７１の実施の形態において前記本発明の第７０の実施の形態と主に異なる点は、聴き端末装置を起こし頬骨にあてておくことができる起こし骨伝動端末５０８を設けてなる携帯品の首下げ具５０９を形成した点にある。
起こし骨伝動端末５０８は起こすと付勢力により頬骨側に押し付けられるようにするのがよい。
【００８３】
図７７に示す本発明の第７２の実施の形態において携帯品下げ具５１５は、ブーケなどの衣類に付け飾る装飾５１６と、この装飾５１６のベース５１７と、このベース５１７の背部に設けられたロープストッパー１１と、このロープストッパー１１に取り付けられた安全ピント５１８とからなっている。
ロープストッパー１１には通しロープ８４が通され、この通しロープ８４の下方には携帯電話３０９が下げられ、携帯電話３０９は引き上げた状態では装飾５１６の影に隠れて人には見えないように隠される。ドレスアップしても携帯電話をわからないように携帯できるとともに、操作したいときは、ロープストッパー１１のボタンを押して落とし出して行なうことができる。
【産業上の利用可能性】
【００８４】
本発明はカメラケースをはじめ機器包装ケースを製造する産業で利用される。
【図面の簡単な説明】
【００８５】
【図１】本発明の最良の第１の実施の形態を示す表面図および側面図。
【図２】本発明の最良の第１の実施の形態の首に提げカメラを収納した使用状態図。
【図３】本発明の最良の第１の実施の形態の外れ阻止部を解除した使用状態態図。
【図４】本発明の最良の第１の実施の形態の保護収納ケースが移動しカメラが出た状態を示す使用状態。
【図５】本発明の第２の実施の形態を示す表面図。
【図６】本発明の第３の実施の形態を示す裏面図および側面図。
【図７】本発明の第４の実施の形態を示す正面図および側面図。
【図８】本発明の第５実施の形態を示す正面図。
【図９】本発明の第６の実施の形態を示す正面図。
【図１０】本発明の第７の実施の形態を示す斜視図。
【図１１】本発明の第８の実施の形態を示す図。
【図１２】本発明の第９の実施の形態を示す図。
【図１３】本発明の第１０の実施の形態を示す図。
【図１４】本発明の第１１の実施の形態を示す縦断面図。
【図１５】本発明の第１２の実施の形態の操作図。
【図１６】本発明の第１３実施の形態の操作図。
【図１７】本発明の第１４の実施の形態の操作図。
【図１８】本発明の第１４の実施の形態のロープストッパーの斜視図。
【図１９】本発明の第１５の実施の形態の斜視図。
【図２０】本発明の第１６の実施の形態の斜視図。
【図２１】本発明の第１７の実施の形態の斜視図。
【図２２】本発明の第１８の実施の形態の斜視図。
【図２３】本発明の第１９の実施の形態の斜視図。
【図２４】本発明の第２０の実施の形態の斜視図。
【図２５】本発明の第２１の実施の形態の斜視図。
【図２６】本発明の第２２の実施の形態の斜視図。
【図２７】本発明の第２３の実施の形態の正面図。
【図２８】図２７の雌歯止とロープ通し具の平面図。
【図２９】本発明の第２４の実施の形態の正面図。
【図３０】本発明の第２５の実施の形態の斜視図。
【図３１】本発明の第２６の実施の形態の斜視図。
【図３２】本発明の第２７の実施の形態の斜視図。
【図３３】本発明の第２８の実施の形態の斜視図。
【図３４】本発明の第２９の実施の形態の斜視図。
【図３５】本発明の第３０の実施の形態の斜視図。
【図３６】本発明の第３１の実施の形態の斜視図。
【図３７】本発明の第３２の実施の形態の説明図。
【図３８】本発明の第３３の実施の形態の説明図。
【図３９】本発明の第３４の実施の形態の説明図。
【図４０】本発明の第３５の実施の形態の説明図。
【図４１】本発明の第３６の実施の形態の正面図。
【図４２】本発明の第３７の実施の形態の正面図。
【図４３】本発明の第３８の実施の形態の使用状態図。
【図４４】本発明の第３９の実施の形態の使用状態図。
【図４５】本発明の第４０の実施の形態の使用状態図。
【図４６】第４１の実施の形態の側面図、正面図および使用状態図。
【図４７】第４２の実施の形態の使用状態図。
【図４８】第４３の実施の形態の使用状態図。
【図４９】第４４の実施の形態の使用状態図。
【図５０】第４５の実施の形態の側面図。
【図５１】第４６の実施の形態の使用状態図。
【図５２】第４７の実施の形態の使用状態図。
【図５３】第４８の実施の形態の側面図および正面図。
【図５４】第４９の実施の形態の使用状態図。
【図５５】第５０の実施の形態の使用状態図。
【図５６】第５１の実施の形態の側面図および使用状態図。
【図５７】第５２の実施の形態の側面図。
【図５８】第５３の実施の形態の側面図および使用状態図。
【図５９】第５４の実施の形態の側面図および使用状態図。
【図６０】第５５の実施の形態の側面図。
【図６１】第５６の実施の形態の側面図および使用状態図。
【図６２】第５７の実施の形態のネクタイへの取付け状態側面図。
【図６３】第５８の実施の形態のネクタイへの取付け状態側面図。
【図６４】第５９の実施の形態のネクタイへの取付け状態側面図。
【図６５】第６０の実施の形態の正面図および取付け状態図。
【図６６】第６１の実施の形態の使用状態図。
【図６７】第６２の実施の形態の使用状態図。
【図６８】第６３の実施の形態の側面図および使用状態図。
【図６９】第６４の実施の形態の側面図および使用状態図。
【図７０】第６５の実施の形態の側面図および使用状態図。
【図７１】第６６の実施の形態の側面図および使用状態図。
【図７２】第６７の実施の形態の正面図。
【図７３】第６８の実施の形態の側面図および使用状態図。
【図７４】本発明の第６９の実施の形態の側面図および使用状態図。
【図７５】本発明の第７０の実施の形態の側面図および使用状態図。
【図７６】本発明の第７１の実施の形態の側面図および使用状態図。
【図７７】本発明の第７２の実施の形態の側面図および側面図。
【符号の説明】
【００８６】
１：保護収納ケース
２：首提げ手段
３：ケース本体
４：首提げ手段通し部
５：引張り付勢手段
６：出入口
７：カメラ
８：外れ阻止部
９：面ファスナー
１０：面ファスナー
１１：ロープストッパー
１２：クリップ、
１３：出入口
１４：出入口
１５：外れ阻止部
１６：外れ阻止部
１７：保護収納ケース
２０：保護収納ケース
２２：前舌部
２３：後舌部
２４：保護収納ケース
２６：引張り付勢手段
２７：保護収納ケース
２８：付勢手段取付け部
２９：首提げ手段
３０：カメラ取付け部
３３：保護収納ケース
３４：首提げ紐
３５：引張り付勢手段
３７：引張り付勢手段
３８：保護収納ケース
４０：携帯品の保護具
４１：携帯品取付け部
４２：提げ紐部
４３：ロープストッパー
４４：首提げ部
４５：首提げ手段
４６：収納ケース
４７：ストッパー本体
４８：紐通し孔
４９：紐通し部固定部
５０：紐通し孔
５１：プッシュボタン
５２：ストッパー
５５：携帯品の保護具
５９：携帯品の保護具
６０：紐通し部
６１：ケース本体
６２：結束紐
６３：首提げ手段
６４：吊提げ紐
６５：ストッパー
６６：摘み玉
６９：携帯品の保護具
７０：接着部
７２：携帯品の保護具
７４：引張り付勢手段
７５：携帯品の保護具
７７：ロープストッパー
７８：ストッパー本体
７９：ロープ通し穴
８０：プッシュボタン通し穴
８１：バネ支持穴
８２：圧縮コイルバネ
８３：プッシュ本体
８４：通しロープ
８５：ロープ通し穴
８６：抜け防止突起
８７：ロープ制御手段
８８：ケース等取付部
８９：歯止雌体
９０：外歯
９１：内歯
９３：携帯品の保護具
９４：ストッパー取付部
９５：ケース本体
９９：ロープストッパー
１００：取付部
１０１：取付部
１０２：提げ手段取付部
１０３：提げ手段取付部
１０５：ロープストッパー
１０６：提げ手段取付部
１０７：フランジ
１０９：ロープストッパー
１１０：提げ手段取付部
１１１：ケース支持部
１１２：ケース支持部
１１３：歯止雌体
１１５：ロープストッパー
１１６：着衣止め手段
１１８：ロープストッパー
１１９：ロープ入れ部
１２０：ロープ掛け部
１２２：ロープストッパー
１２３：ロープ掛け部
１２５：ロープストッパー
１２６：持ち上げ止め部
１２７：ロープ掛け部
１２９：ロープストッパー
１３０：雄ネジ部
１３１：ナット
１３３：ロープストッパー
１３４：ロープ出入口
１３５：提げて手段等取付部
１３６：ロープ出入口
１３７：ロープ掛け部
１３８ａ〜１３８ｅ：ロープ掛けフック
１３９：ロープ通し具
１４０：ロープ係止部
１４１：棒部
１４２：掛け部
１４３：ロープストッパー
１４５：ロープストッパー
１４６ａ、１４６ｂ：ケース等取付部
１４７：紐掛け部
１４９：ロープストッパー
１５０：ピン入り口
１５１：ピン止め取付部
１５２：着衣止め手段
１５４：ロープストッパー
１５５：ロープ制御手段
１５７：ロープストッパー
１５８：ケース等取付部
１５９：挟持受け部
１６１：ロープストッパー
１６２：プッシュボタン通し穴
１６３：プッシュ本体
１６４：ロープ制御部
１６６：ロープストッパー
１６７：指摘み引きボタン
１６８：バネ受け部
１６９：ロープ制御手段
１７１：ロープストッパー
１７２：ケース等取付部
１７３：フランジ
１７４：雄歯止
１７５：雄歯止部位
１８０：携帯品の保護具
１８１：首提げ体
１８２：携帯品保持部
１８３：首装着バンド
１８４：連結クリップ
１８６：携帯品の保護具
１８７：ロープ避け部
１８９：携帯品の保護具
１９０：携帯品保持部
１９１：首掛け手段
１９２：携帯品の保護具
１９３：クリップ固定部
１９４：ストラップ
１９５：挟持クリップ
２００：ロープストッパー
２０１：ストッパー本体
２０２：上梁部
２０３：下梁部
２０４：ロープ通し孔
２０５：ロープ通し孔
２０６：ループ
２０７：ロープ
２０８：ロックＯＮ・ＯＦＦボタン
２０９：ロックＯＮ・ＯＦＦボタン
３００：ネックストラップ
３０２：連結部
３０３：ロープストッパー
３０４：ネックストラップ
３０５：携帯品下げ装置
３０６：ロープストッパー
３０７：ロープ取付け部
３０８：クリップ
３０９：携帯電話
４０１：底抜けケース
４０２：ダブルクリップ
４０３：携帯品の保護具
４０６：携帯品の保護具
４０７ａ、４０７ｂ：面ファスナー
４０８：吊り体
４０９：伸縮ストラップ
【図３】
0004177314.tif 000002
【図９】
0004177314.tif 000003
【図４１】
0004177314.tif 000004
【図４２】
0004177314.tif 000005
【図４３】
0004177314.tif 000006
【図４４】
0004177314.tif 000007
【図４５】
0004177314.tif 000008
【図４６】
0004177314.tif 000009
【図４７】
0004177314.tif 000010
【図４８】
0004177314.tif 000011
【図４９】
0004177314.tif 000012
【図５０】
0004177314.tif 000013
【図５１】
0004177314.tif 000014
【図５２】
0004177314.tif 000015
【図５３】
0004177314.tif 000016
【図５４】
0004177314.tif 000017
【図５５】
0004177314.tif 000018
【図５６】
0004177314.tif 000019
【図５７】
0004177314.tif 000020
【図５８】
0004177314.tif 000021
【図５９】
0004177314.tif 000022
【図６０】
0004177314.tif 000023
【図６１】
0004177314.tif 000024
【図６２】
0004177314.tif 000025
【図６３】
0004177314.tif 000026
【図６４】
0004177314.tif 000027
【図６５】
0004177314.tif 000028
【図６６】
0004177314.tif 000029
【図６７】
0004177314.tif 000030
【図６８】
0004177314.tif 000031
【図６９】
0004177314.tif 000032
【図７０】
0004177314.tif 000033
【図７１】
0004177314.tif 000034
【図７２】
0004177314.tif 000035
【図７３】
0004177314.tif 000036
【図７４】
0004177314.tif 000037
【図７５】
0004177314.tif 000038
【図７６】
0004177314.tif 000039
【図７７】
0004177314.tif 000040
【図１】
0004177314.tif 000041
【図２】
0004177314.tif 000042
【図４】
0004177314.tif 000043
【図５】
0004177314.tif 000044
【図６】
0004177314.tif 000045
【図７】
0004177314.tif 000046
【図８】
0004177314.tif 000047
【図１０】
0004177314.tif 000048
【図１１】
0004177314.tif 000049
【図１２】
0004177314.tif 000050
【図１３】
0004177314.tif 000051
【図１４】
0004177314.tif 000052
【図１５】
0004177314.tif 000053
【図１６】
0004177314.tif 000054
【図１７】
0004177314.tif 000055
【図１８】
0004177314.tif 000056
【図１９】
0004177314.tif 000057
【図２０】
0004177314.tif 000058
【図２１】
0004177314.tif 000059
【図２２】
0004177314.tif 000060
【図２３】
0004177314.tif 000061
【図２４】
0004177314.tif 000062
【図２５】
0004177314.tif 000063
【図２６】
0004177314.tif 000064
【図２７】
0004177314.tif 000065
【図２８】
0004177314.tif 000066
【図２９】
0004177314.tif 000067
【図３０】
0004177314.tif 000068
【図３１】
0004177314.tif 000069
【図３２】
0004177314.tif 000070
【図３３】
0004177314.tif 000071
【図３４】
0004177314.tif 000072
【図３５】
0004177314.tif 000073
【図３６】
0004177314.tif 000074
【図３７】
0004177314.tif 000075
【図３８】
0004177314.tif 000076
【図３９】
0004177314.tif 000077
【図４０】
0004177314.tif 000078